(57)【要約】      （修正有）【課題】格納時のスペースを取らない書類バインダーを提供する。【解決手段】底板１両側に軸孔を具える接合部１１１を設け、紙資料のパンチ孔を挿通するベアリング接続ロッド１２を回動可能に挿通支持し、これに対してスライド接続ロッド１３をベアリング接続ロッドに対してピンの廻りに回動可能に結合する。底板側部に蓋体２をピン２１２により回動可能に連結し、蓋体に形成した段付開口部２２に底板上に回動可能に配置した嵌合部材１５の階段状段部を係合して蓋体の起立位置を調整可能とし、蓋体の倒伏位置で蓋体両側の当接部２３により翼型弾性片１６の押圧面１６１上のスライド接続ロッド１３先端部１３１を押圧してスライド接続ロッドを立設した状態に維持し、蓋体を起立した位置でスライド接続ロッドを回動してその先端をベアリング接続ロッド先端から離して、パンチ孔を有する資料の綴じ込み可能とする。【選択図】図２
2009154488.tif 000002
【特許請求の範囲】
【請求項１】
底板と該底板１側に対して回動可能にピン結合された蓋体から構成され、
該底板において、その両側にそれぞれＬ字型のベアリング接続ロッドとスライド接続ロッドを相対してそれらの先端を接して連続したループを形成するように配置し、
ベアリング接続ロッド下方は屈曲部を形成してその間にスライド接続ロッドを収容する固定空間を設けてスライド接続ロッドを該固定空間内で回動可能にピン結合すると共にその先端を該固定空間から延長突出させ、
また、ベアリング接続ロッドは該底板両側において外方に回動可能に連結され、
さらに、これらの間の底板上にピン結合部を設けて嵌合部材を回動可能にピン結合すると共に該ピン結合部と蓋体との結合部の間に、両端に押圧部を設けた翼型弾性片を設け、
該蓋体は、階段状の段差を形成した開口を設け、この段差に係合する段差を設けた嵌合部材を挿通してこれらの段差に応じた起立位置に該蓋体を係合可能とし、該蓋体を倒伏した位置に係合することにより、蓋体両側辺に形成した当接部により上記スライド接続ロッドの固定空間から延長した端部とその下に位置する翼型弾性片の押圧部を押下げてスライド接続ロッドを回動させてベアリング接続ロッド先端に他の先端を接するようにしたことを特徴とする書類バインダー。
【請求項２】
前記底板のベアリング接続ロッドに対して、該底板を屈曲加工して形成した軸孔を具えたホルダーと位置限定掛止板を設けてホルダー軸孔にベアリング接続ロッドを挿通することにより回動可能に連結すると共に位置限定掛止板に相対する側に掛止面を設けてベアリング接続ロッドの立設した状態に維持可能とし、
さらに、ベアリング接続ロッドの屈曲部の両側に定位ピンを貫通定位させることができる接合孔を貫通して設けてスライド接続ロッドを該固定空間内で回動可能にピン結合し、
該ベアリング接続ロッドのホルダー挿通箇所両側に相当する位置にそれぞれ位置限定凸部を設けてベアリング接続ロッド軸方向の移動を制限するようにしたことを特徴とする請求項１記載の書類バインダー。
【請求項３】
前記嵌合部材と蓋体開口との係合において、
係合部材両側辺の階段状段部を先端に向けて幅の広い第１係止アーム部及び第２係止アーム部を形成し、蓋体の開口部の階段状段差を底辺に向けて幅の広い第１溝、第２溝および第３溝を設けてなり、
第１溝は第１係止アーム部と対応して嵌合した状態で蓋体の両側辺の当接部をスライド接続ロッドの端部上に押圧して該端部から底板上の翼型弾性片の押圧部を押圧し、スライド接続ロッドとベアリング接続ロッドは両先端の係止して連続したリング状を形成し、
第２溝が第２係止アーム部と対応して嵌合した状態で、翼型弾性片の弾性回復力によりその上方のスライド接続ロッドを蓋体の当接部に係止される位置まで回転させて、その先端とベアリング接続ロッド先端との係合を解放して穴あき資料をベアリング接続ロッド先端に挿通して綴じることを可能とし、
さらに、嵌合部材の幅は第３溝の幅より小さいことにより、勘合部材を第３溝から脱出させて、蓋体を外側に回動して開き、且つベアリング接続ロッドおよびスライド接続ロッドを軸廻りに回転させて外側に向かって水平状態に展開可能としたことを特徴とする請求項１記載の書類バインダー。
【請求項４】
前記スライド接続ロッドは、該端部から外斜め向きに屈曲して傾斜部に至り、該傾斜部にピン接合孔を設け、さらに該傾斜部から上方に屈曲して延長した先端にベアリング接続ロッド先端に対する接触面を形成し、
底板と蓋体とのピン結合構造において、底板及び蓋体にそれぞれ定位ピンを挿通するピン結合孔及び軸孔部を設け、
底板に設けた翼型弾性片は、Ｖ字型、コの字型、凹字型等の形状で構成され、それらの両側の自由端のアーム状部位にそれぞれ押圧面を形成し、
さらに底板は、回動して展開可能な挟合板体内面に結合固定され、釘打接合、螺子固定、接着またはその他の結合手段により結合されてなることを特徴とする請求項１記載の書類バインダー。
【発明の詳細な説明】
【技術分野】
【０００１】
本発明は、書類バインダー構造に関し、特に、折り畳み後収納できる書類バインダーの構造に関するものであり、全体の構造上の高さを効果的に低減し、占有空間の節約、迅速な折り畳み収納を可能とする書類バインダー構造に関する。
【背景技術】
【０００２】
一般に、企業、機関、法人団体のオフィス事務において、書類データの保存及び処理に対して、通常、書類バインダーを使用し、書類データ処理の違いに応じて選択する適合した書類バインダーの種類も異なり、それぞれその使用特性及び適用範囲を有し、バインダー類型は、およそ孔あけタイプと非孔あけタイプに分けることができる。そのうち、孔あけタイプは、いずれも書類データの保存量が比較的大きい書類バインダーを用いて、ルーズリーフ用紙、書面資料、複写物、スライド、公告用紙、名刺等の保存に使用し、予め孔を開けた書類を重ねて冊子として配列し、使用者が迅速に観覧、調査する用途に便利である。
【０００３】
但し、早期に研究開発された書類バインダー構造中、書類資料を重ね置きする数量を向上させるため、その書類バインダーが形成する体積範囲はいずれも固定され、一定の高さを有して設置され、書類バインダー内部に挟み置く書類資料がない場合、家庭、オフィス等の比較的空間の小さな環境に収納、保存または配置する時、多くの不要な空間を占有し、携帯、運搬上の困難となるだけではなく、梱包運送のコストも向上させる。
【０００４】
本書類バインダー構造は、折り畳んで収納し、全体の構造上の高さを効果的に低減し、体積範囲が大き過ぎることにより生じる問題と欠陥を回避し、大幅に占有空間を節約し、収納、保存、携帯時に、相当便利であり、当業者が研究改善を求めるものである。
【特許文献１】特公平７−４１７５１号公報
【特許文献２】特開平９−２２６２８２号公報
【発明の開示】
【発明が解決しようとする課題】
【０００５】
本発明の目的は、底板両側にそれぞれ対応式の接合部を設け、接合部活動ホルダーに屈曲部を備えるベアリング接続ロッドを設け、屈曲部は固定空間内にスライド接続ロッドをピン結合し、且つ両側の接合部間の底板表面に嵌合部材回動可能ににピン結合させることができるピン結合部を設け、翼型弾性片と連接部を順に定位設置し、蓋体一側の結合部を底板連接部上にピン結合し、結合部に開設した開口部が嵌合部材を貫通させ、多段のラッチ定位を形成することによって、底板の嵌合部材を連動し、開口部の一側表面からその制限を脱し、同時にベアリング接続ロッド及びスライド接続ロッドも接合部において軸方向回転させることができ、接合部が制限する係止板の係止を離脱し、外側に活動展開し水平状を呈することができ、従って、全体構造上の高さを低減し、占有空間の節約及び折り畳み後の迅速な収納、使用の目的を達成することにある。
【課題を解決するための手段】
【０００６】
本考案の書類バインダー構造は、底板と箱体から構成され、そのうち、該底板が両側にそれぞれ相対して接合部を設け、接合部活動ホルダーに屈曲部を有するベアリング接続ロッドを設け、屈曲部は固定空間内にスライド接続ロッドをピン結合し、且つスライド接続ロッドの一側に固定空間の外側に延伸できる端部を設け、２つの嵌合部の間の底板表面に嵌合部材を回動可能にピン結合させるピン結合部を設け、ピン結合部に相対した他側に順に翼側弾性片と連接部を定位設置してなり、該蓋体は、一側に底体の連接部と回動可能にピン結合する結合部を設け、結合部側辺表面に嵌合部材を貫通させ、外部に露出させ多段式の嵌合定位を形成させる開口部を設け、蓋体の２つの相対側辺には、それぞれ当接部を屈折して形成し、且つ当接部はスライド接続ロッドの端部上に押圧し、そのスライド接続ロッドに回転移動の状態を形成させる。
【発明の効果】
【０００７】
本発明の書類バインダー構造は、実際の使用時、以下の利点を有する：
該底板１に回動可能にピン結合する嵌合部材１５は、その両側に段部を設けて蓋体２に開設された開口幅を変えて形成した開口部２２の段部に係合して各段の位置に掛止され、係合位置を上方に変えてスライド接続ロッド下方先端部を一定範囲解放することにより、スライド接続ロッド１３をピン１２４の軸廻りに一定範囲回動させて、ベアリング接続ロッド１２との間を開放して一定幅の間隔を開けることによって、書類資料３の貫通孔３１にベアリング接続ロッド１２の先端を挿入して、垂直に重ねて資料をファイルし、多数の異なる種類の書類資料３をファイルすることができる。
【０００８】
次に、蓋体２を押し下げて、その開口部に係合する嵌合部材１５を引いて係合位置を下方に変更し、蓋体２の両側の当接部２３によりスライド接続ロッド端部１３１を上から押圧し、端部１３１によってさらに翼型弾性片１６を連動して押圧し、スライド接続ロッド１３先端１３３がベアリング接続ロッド１２先端１２１に係止して両者間の連続した結合状態を形成する。
この状態で使用者はベアリング接続ロッド１２とスライド接続ロッド１３との間の連続したリングの範囲内で該書類資料３をスライド移動させて紙面を捲ることができ、また、資料に外力が負荷されてもバインダーから離脱または散落することが防止され、操作が簡易で、迅速に資料に眼を通すことができる。
【０００９】
また、底板１の嵌合部材１５を直接引いてその段差部と蓋体の開口部２２の段差による掛止状態から解放して、蓋体２を外側に向けて回動して開くと同時に、底板１の両側に相対して配置したベアリング接続ロッド１２とスライド接続ロッド１３を、その挿入されたホルダー１１１内で軸周りに回転することにより、位置限定係止板１１２の係止を離脱させ、外側向きに回転して水平に展開した状態とする。従って、全体構造の高さを効果的に低減し、占有空間の節減、迅速な折り畳み収納を可能とする。
また、この構造により、収納、保存、携帯時、いずれも相当便利であり、モジュール構造設計の良好な効果も備え、且つモジュール化して大量生産に適用でき、生産および製造上のコストを効果的に削減する。
【発明を実施するための最良の形態】
【００１０】
図１、図２、図３、図４は、本発明の立体外観図、立体分解図、使用前の立体外観図および使用後の立体外観図であり、図から分かるように、本発明の書類バインダー構造は、底板１と蓋体２から構成され、
該底板１は、両側にそれぞれ対応して接合部１１を設け、その接合部１１はそれぞれ軸孔を有するホルダー１１１とロッド側部を嵌合して係合する位置限定係止板１１２を底板材を屈曲加工して形成し、ホルダー１１１、位置限定係止板１１２の間にベアリング接続ロッド１２をホルダーの軸孔に挿通して回動可能に配置する。Ｌ型ロッド体を構成するベアリング接続ロッド１２は、ホルダー１１１の軸孔に挿入した状態で回動可能に結合され、且つその先端に係止面１２１を形成する。
ホルダー１１１両側外縁は、ベアリング接続ロッド１２に形成した位置限定凸部１２２に当接して、ホルダー１１１軸方向の移動を制限する。また、位置限定凸部１２２より先方に延長するベアリング接続ロッドに屈曲部１２３を形成して、屈曲部内側に固定空間１２３１を形成し、屈曲部１２３外側表面に位置制限係止板１１２内側に係止する接合面１２３２を形成し、屈曲部１２３両側面に貫通する接合孔１２３３を設けて該接合孔１２３３に定位ピン１２４を貫通してベアリング接続ロッドとスライド接続ロッド１３をピン結合する。
【００１１】
また、該固定空間１２３１内にスライド接続ロッド１３を回動可能にピン結合すると共に、外側斜め向きにずらして屈折した傾斜部１３２を介してスライド接続ロッド１３先端に固定空間１２３１から突出して延長する端部１３１を設け、傾斜部１３２側面に接合孔１３２１を設ける。上方に屈曲して延伸するスライド接続ロッド１３の他端側には、先端部にベアリング接続ロッド先端の係止面１２１と係合する接触面１３３を形成する。
【００１２】
また、底板１上の２つの接合部１１間の中央位置にピン結合部１４を設け（図６、７参照）、スプリングバネなどの弾性体１４１を介して嵌合部材１５を回動可能にピン結合する。
嵌合部材１５の両側辺にそれぞれ階段段差状の第１係止アーム部１５１及び第２係止アーム部１５２を形成し、その幅の差により前記蓋体の形成した開口の段差に係合する位置を変えて蓋体の開く（起き上がる）高さを調整する。
さらに、該ピン結合部に向けて翼型弾性片１６およびピン結合孔１７１を有する連接部１７を順に配置し、翼型弾性片１６は、Ｖ字型、コの字型、凹字型等の形状として、Ｖ字型等のそれぞれ両側の自由端のアーム状部位を押圧面１６１とする。
【００１３】
蓋体板材を下向きに屈曲加工して軸孔部２１１を具えた２つの結合部２１を形成し、上記底板の連接部のピン結合孔１７１と該軸孔部２１１とを挿通する定位ピン２１２により該蓋体を回動可能に連結する。
該蓋体２には軸孔部２１１に近接して開口部２２を開設し、開口部２２内側は順にそれぞれ幅を変えて階段状に段差のある第１溝２２１、第２溝２２２および第３溝２２３とする。
また、蓋体２の両側辺はそれぞれ屈折してスライド接続ロッドの端部１３１を押圧する当接部２３を形成し、その状態でスライド接続ロッド１３をロックすると共に、押圧状態から解放することによって、回転可能とする。
【００１４】
上記床板１の連接部１７と蓋体２の結合部２１はそれぞれピン結合孔１７１と軸孔部２１１を具えて定位ピン２１２をこれらの孔に挿通して連結され、上記底板１に対して、蓋体２は結合部２１により回動可能にピン結合される。
組み立て時、先ず、底板１に対して蓋体２を上記のとおり回動可能にピン結合し、
ベアリング接続ロッド１２をホルダー１１１の軸孔に挿入して、ホルダー１１１両側縁の位置に対応して該ベアリング接続ロッド１２表面に凸設される位置限定凸部１２２により、１１１内部の軸方向移動を制限すると共に該ロッド軸廻りに回動可能とし、さらに、該ベアリング接続ロッド１２の屈曲部１２３の接合面１２３２を該接合部１１の位置制限係止板１１２に当接して係止する。
また、該ベアリング接続ロッド１２の屈曲部１２３の相対する屈曲部の間に形成される固定空間１２３１にスライド接続ロッド１３を収容して、定位ピン１２４を該ベアリング接続ロッド１２の接合孔１２３３，１３２１及び該スライド接続ロッド１３の接合孔に挿入して両者を連結する。
【００１５】
このとき、スライド接続ロッド１３の一方の端部１３１は底板１上の翼型弾性片１６上にある（図６参照）。
嵌合部材１５は、ピン結合部１４回動可能にピン結合され、弾性体１４１により図6の矢印方向に付勢されるが、起立した状態で蓋体２の階段状段差を有する開口部２２を挿通して上方に突出し、嵌合部材１５の該段差により形成される第１係止アーム部１５１が開口部２２の第１溝２２１に係合してロックされる。
この状態で、該蓋体２は底板上に押し当てられてその両側辺の当接部２３は、相対するスライド接続ロッド１３の端部１３１上に押圧される。
即ち、該蓋体は、スライド接続ロッド１３の端部１３１を介してさらに底板１上の翼型弾性片１６を押圧する。
ベアリング接続ロッド１２先端の係止面１２１とスライド接続ロッド１３先端の接触面１３３とを相互に係合させて、紙資料の孔を挿通する連続したリングを形成し、底体１の両側にそれぞれ相対して立設するベアリング接続ロッド１２とスライド接続ロッド１３は連続したアーチ状を形成して紙資料に対して、安定した状態で保存できる形態となり、本発明の本体の組み立てを完了する。
【００１６】
また、上記の部材を使用する時は、先ず、外側に向かって底板１に回動可能にピン結合された嵌合部材１５上を操作して蓋体の開口部との段差部による係合を外して、蓋体２を軸孔部２１１でピン結合する定位ピン２１２を軸心として回動可能としてその係合位置を調整移動させ、翼型弾性片１６の弾性回復力の下で第２係止アーム部１５２を開口部２２に開設した第２溝２２２の位置に移して係合させることにより、翼型弾性片１６の押圧面１６１上方のスライド接続ロッド１３の端部１３１を押し上げて、スライド接続ロッド１３を定位ピン１２４の廻りに回動させて、その先端１３３とベアリング接続ロッド１２の先端１２１間を開けて、書類資料３に貫通した貫通孔３１にベアリング接続ロッド１２を挿通して書類資料３を垂直方向に重ねて多数の異なる種類の書類資料３を保存する。
これらの該書類資料３は、ルーズリーフ、書面資料、投影用紙、スライド、公告用紙、名刺またはその他の貫通孔を備える書類ファイルである。
【００１７】
資料収納後、蓋体２表面を直接押圧して、その上方位置で開口部の段差に係合する嵌合部材１５の係合を外し、嵌合部材１５の第１係止アーム部１５１を内側に向かってずらして開口部２２の第１溝２２１上に対応して嵌合させて、蓋体の起立状態から底板上に向けて回動させ、蓋体２の両側辺の当接部２３を介してスライド接続ロッド１３の端部１３１を翼型弾性片１６の弾発力に抗して下向きに押圧し、この動作によってスライド接続ロッド１３をピン１２４の廻りに回動させてその先端の接触面１３３をベアリング接続ロッド１２先端の係止面１２１に係合し、連続したリング状とする。
この状態で、使用者が書類資料３を観覧、調査する時、ベアリング接続ロッド１３とスライド接続ロッド１３との間に連結形成されるリングの範囲内で該書類資料３を回動可能に捲ることができ、且つ外力の影響を受けた時に離脱または散落を効果的に防止し、操作が簡易で、迅速に置換できる効果を有する。
【００１８】
図５、図６、図７、図８は、それぞれ、本発明の好適な実施例の立体外観図、折り畳み前の拡大説明図、折り畳み時の立体外観図および折り畳み後の立体外観図であり、図から分かるように、上記の部材の折り畳み収納時には、先ず、底板１のピン結合部１４にピン結合する嵌合部材１５を操作して、嵌合部材１５の幅が蓋体２表面の開口部２２の第３溝２２３の幅より小さく形成されていることにより、その嵌合部材１５を開口部２２の第３溝２２３から抜け出させ、蓋体２を軸孔部２１１の定位ピン２１２の軸廻りに回転させて、外側に向かって開き、同時に、底板１の両側のベアリング接続ロッド１２とスライド接続ロッド１３も、蓋体２による押圧から解放されてピン結合するホルダー１１１の廻りに回転可能となり、位置限定係止板１１２の係止作用を離脱して、ベアリング接続ロッド１２とスライド接続ロッド１３を外向きに回動展開させて、水平に展開した状態として、全体の構造上の高さを効果的に低減し、占有空間の節約を達成し、迅速に折り畳み収納する。
【００１９】
また一方で、上記の底板１は、挟合板体４と相互に結合し、且つ挟合板体４は、標記部４１（背表紙）を有し、標記部４１の両側の折り畳み線を介してそれぞれ外向きに相対して折り曲げ、展開することができる側板４２を延長形成する。その標記部４１は異なる色を有する材質とし、表面に異なる色料を塗布して、図形または文字をその表面に明瞭に表示するマークにより使用者にその内部に保存する書類資料３の名称、種類、使用時期、秘密保持レベル状態等を容易に識別させ、後続の書類資料３の調査、保存、ファイル分類の管理作業を便利に行うことができる。
【００２０】
また、これらの構造を取り付ける挟合板体４は、側板４２の内表面に更に底板１を結合固定して、底板１を挟合板体４上に直接結合固定させ、且つ該底板１と挟合板体４の結合を釘打接合、螺子固定、接着方式またはその他の底板１を挟合板体４に結合する方法により結合する。その接着方法も化学接着剤または糊体、樹脂等の接着効果を有する接着物により、底板１を挟合板体４に接着する。
本実施例中、釘打接合方式で組み立てを行い、底板１と挟合板体の間を堅固に固定し、使用時、平均的に力を受け、外力の影響により偏移、回転等が生じないようにする。
【００２１】
また、上記相互にピン結合定位した底板１と蓋体２は、１つまたは複数を並列に設置し、挟合板体４側板４２の位置、寸法、形状の違いに応じて側板４２の上に所定の適切な方向、位置に結合し、使用者の実際の必要に合わせて、その取り付け方向、位置や数量等も適宜に変更する。収容、保存、携帯時、いずれも相当便利であり、モジュール構造設計の良好な効果も有し、且つモジュール化の最良生産に適用し、生産、製造上のコストを効果的に節約することができる。なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００２２】
【図１】本発明の立体外観図である。
【図２】本発明の立体分解図である。
【図３】本発明使用前の立体外観図である。
【図４】本発明使用後の立体外観図である。
【図５】本発明の好適な実施例の立体外観図である。
【図６】本発明の好適な実施例の折り畳み前の拡大説明図である。
【図７】本発明の好適な実施例の折り畳み時の立体外観図である。
【図８】本発明の好適な実施例の折り畳み後の立体外観図である。
【符号の説明】
【００２３】
１  底板
１１  接合部
１１１  ホルダー
１１２  位置限定係止板
１２  ベアリング接続ロッド
１２１  係止面
１２２  位置限定凸部
１２３  屈曲部
１２３１  固定空間
１２３２  接合面
１２３３  接合孔
１２４  定位ピン
１３  スライド接続ロッド
１３１  端部
１３２  傾斜部
１３２１  接合孔
１３３  接触面
１４  ピン結合部
１４１  弾性体
１５  嵌合部材
１５１  第１係止アーム部
１５２  第２係止アーム部
１６  翼型弾性片
１６１  押圧面
１７  連接部
１７１  ピン結合孔
２  蓋体
２１  結合部
２１１  軸孔部
２１２  定位ピン
２２  開口部
２２１  第１溝孔
２２２  第２溝孔
２２３  第３溝孔
２３  当接部
３  書類資料
３１  貫通孔
４  挟合板体
４１  マーク部
４２  側板
【図１】
2009154488.tif 000003
【図２】
2009154488.tif 000004
【図３】
2009154488.tif 000005
【図４】
2009154488.tif 000006
【図５】
2009154488.tif 000007
【図６】
2009154488.tif 000008
【図７】
2009154488.tif 000009
【図８】
2009154488.tif 000010